【手続補正書】
【提出日】平成21年12月14日(2009.12.14)
【手続補正１】
【補正対象書類名】特許請求の範囲
【補正対象項目名】全文
【補正方法】変更
【補正の内容】
【特許請求の範囲】
【請求項１】
ソーシャルネットワークのメンバー間の関係をマッピングする方法であって、
複数のソーシャルネットワークメンバーについてのプロフィールデータを受信するステップと、
該ソーシャルネットワークの２メンバー間の関係を構築するステップと、
前記ソーシャルネットワークの２メンバー間の関係についての詳細を該２メンバーの一方から受信するステップと、ここで、前記詳細は該２メンバー間の関係の性質を特徴付ける少なくとも１つの関係類型で構成されており、
前記受信した詳細を前記関係に関連付けるステップと、
前記受信した詳細に従って前記２メンバー間の関係をマッピングするステップと、
を具備することを特徴とする方法。
【請求項２】
前記ソーシャルネットワークの２メンバー間の関係を構築する前記ステップは、第１のメンバーとの関係を構築するための第２のメンバーによる招待の受諾を含むことを特徴とする請求項１に記載の方法。
【請求項３】
前記複数のソーシャルネットワークメンバーに情報を提供するために、前記関係を利用するステップをさらに有することを特徴とする請求項１に記載の方法。
【請求項４】
一以上のプライバシー設定を前記関係と関連付けるステップをさらに有し、該プライバシー設定は、前記２メンバーの一方によって提供され、誰が当該関係についての前記詳細にアクセスできるかを統制するものであることを特徴とする請求項１に記載の方法。
【請求項５】
前記２メンバーの一方によって入力される前記詳細が、前記関係が構築される前に、前記２メンバーの他方によって確認されることを特徴とする請求項１に記載の方法。
【請求項６】
前記２メンバーの一方によって入力される前記詳細が、複数のソーシャルネットワークメンバーに対して表示されることを特徴とする請求項１に記載の方法。
【請求項７】
前記関係類型は、ユーザが如何にして知りあったかということを含むことを特徴とする請求項１に記載の方法。
【請求項８】
前記詳細は、メンバーがどこに一緒に住んでいるか、及びメンバーがどこで一緒に働いているか、というグループの少なくとも１つを含むことを特徴とする請求項１に記載の方法。
【請求項９】
前記２メンバー間の関係についての前記詳細に対する変更を、該２メンバーの一方から受信するステップを更に具えることを特徴とする請求項１に記載の方法。
【請求項１０】
前記構築された関係に従ってソーシャルネットワークのメンバーをグループ化するステップを更に具えることを特徴とする請求項１に記載の方法。
【請求項１１】
前記グループ化に基づいて関係を構築することを他のメンバーに対して示唆するステップを更に具えることを特徴とする請求項１０に記載の方法。
【請求項１２】
時間枠特定部に従って、前記２メンバーの一方の関係に関連した年代順配列での表示のために、該２メンバー間のマッピングされた関係を送信するステップを更に具えることを特徴とする請求項１に記載の方法。
【請求項１３】
前記関係についての前記受信した詳細は、前記２メンバーについての前記関係類型が存在した時間枠を特定する時間枠特定部を更に含むことを特徴とする請求項１に記載の方法。
【請求項１４】
前記２メンバー中の第１のメンバーによって提供された前記詳細の受容を、該２メンバー中の第２のメンバーから受信するステップを更に具えることを特徴とする請求項１に記載の方法。
【請求項１５】
ソーシャルネットワークのメンバー間の関係をマッピングするために、プロセッサにより実行可能なコンピュータプログラムを記憶したコンピュータ読み取り可能な媒体であって、前記コンピュータプログラムは、前記プロセッサに、
複数のソーシャルネットワークメンバーについてのプロフィールデータを受信するステップと、
該ソーシャルネットワークの２メンバー間の関係を構築するステップと、
前記ソーシャルネットワークの２メンバー間の関係についての詳細を該２メンバーの一方から受信するステップと、ここで、前記詳細は該２メンバー間の関係の性質を特徴付ける少なくとも１つの関係類型で構成されており、
前記受信した詳細を前記関係に関連付けるステップと、
前記受信した詳細に従って前記２メンバー間の関係をマッピングするステップと、
を実行させるプログラムであることを特徴とするコンピュータ読み取り可能な媒体。
【請求項１６】
前記ソーシャルネットワークの２メンバー間の関係を構築する前記ステップは、第１のメンバーとの関係を構築するための第２のメンバーによる招待の受諾を含むことを特徴とする請求項１５に記載のコンピュータ読み取り可能な媒体。
【請求項１７】
前記コンピュータプログラムは、前記プロセッサに、前記複数のソーシャルネットワークメンバーに情報を提供するために、前記関係を利用するステップをさらに実行させることを特徴とする請求項１５に記載のコンピュータ読み取り可能な媒体。
【請求項１８】
前記コンピュータプログラムは、前記プロセッサに、一以上のプライバシー設定を前記関係と関連付けるステップをさらに実行させるものであり、該プライバシー設定は、前記２メンバーの一方によって提供され、誰が当該関係についての前記詳細にアクセスできるかを統制するものであることを特徴とする請求項１５に記載のコンピュータ読み取り可能な媒体。
【請求項１９】
前記２メンバーの一方によって入力される前記詳細が、前記関係が構築される前に、前記２メンバーの他方によって確認されることを特徴とする請求項１５に記載のコンピュータ読み取り可能な媒体。
【請求項２０】
前記２メンバーの一方によって入力される前記詳細が、複数のソーシャルネットワークメンバーに対して表示されることを特徴とする請求項１５に記載のコンピュータ読み取り可能な媒体。
【請求項２１】
前記関係類型は、ユーザが如何にして知りあったかということを含むことを特徴とする請求項１５に記載のコンピュータ読み取り可能な媒体。
【請求項２２】
前記詳細は、メンバーがどこに一緒に住んでいるか、及びメンバーがどこで一緒に働いているか、というグループの少なくとも１つを含むことを特徴とする請求項１５に記載のコンピュータ読み取り可能な媒体。
【請求項２３】
前記コンピュータプログラムは、前記プロセッサに、前記２メンバー間の関係についての前記詳細に対する変更を、該２メンバーの一方から受信するステップを更に実行させることを特徴とする請求項１５に記載のコンピュータ読み取り可能な媒体。
【請求項２４】
前記コンピュータプログラムは、前記プロセッサに、前記構築された関係に従ってソーシャルネットワークのメンバーをグループ化するステップを更に実行させることを特徴とする請求項１５に記載のコンピュータ読み取り可能な媒体。
【請求項２５】
前記コンピュータプログラムは、前記プロセッサに、前記グループ化に基づいて関係を構築することを他のメンバーに対して示唆するステップを更に実行させることを特徴とする請求項２４に記載のコンピュータ読み取り可能な媒体。
【請求項２６】
前記コンピュータプログラムは、前記プロセッサに、時間枠特定部に従って、前記２メンバーの一方の関係に関連した年代順配列での表示のために、該２メンバー間のマッピングされた関係を送信するステップを更に実行させることを特徴とする請求項１５に記載のコンピュータ読み取り可能な媒体。
【請求項２７】
前記関係についての前記受信した詳細は、前記２メンバーについての前記関係類型が存在した時間枠を特定する時間枠特定部を更に含むことを特徴とする請求項１５に記載のコンピュータ読み取り可能な媒体。
【請求項２８】
前記コンピュータプログラムは、前記プロセッサに、前記２メンバー中の第１のメンバーによって提供された前記詳細の受容を、該２メンバー中の第２のメンバーから受信するステップを更に実行させることを特徴とする請求項１５に記載のコンピュータ読み取り可能な媒体。